(57)【要約】      （修正有）【課題】二枚のプレートの間にコイルスプリングを設置することにより、コイルスプリングの下面を固定して、上面に上下、前後、左右、回転運動等の力を加えると半球状の運動作用をする。この半球状の運動が足首の筋肉をほぐして、筋肉を柔らかくし、捻挫や肉離れを防止することを目的としている。【解決手段】本考案は上部プレート、下部プレート、コイルスプリングの３部品で構成されている。この３部品を組み立て、コイルスプリング付き足首運動器具を完成させている。【選択図】図２
0003111180.tif 000002
【実用新案登録請求の範囲】
【請求項１】
二枚のプレートの間にコイルスプリングを設置した構造をしたもので、上部のプレートに足を乗せて、上下、前後、左右、回転運動等の運動をすることにより足首の筋肉をほぐすことの出来るトレーニング器具。
【考案の詳細な説明】
【技術分野】
【０００１】本考案は、二枚のプレートの間にコイルスプリングを設置したもので、足を乗せて上下、前後、左右、回転運動等の運動をすると半球状に足首を動かすことが出来、体力の衰えた老人でも楽に足首をほぐすトレーニングが出来るものである。
［背景技術］【０００２】従来のトレーニング器具は健康状態が良く，力のある人がトレーニングするための運動器具が多く、体力の衰えた人のための運動器具が殆どない。【０００３】二枚のプレートの間にコイルスプリングを設置することにより、弱い力で、なめらかに、上下、前後、左右、回転運動等の運動をして、足首の筋肉をほぐして、足首の捻挫を防止出来る。
［考案の開示］【０００４】「考案が解決しようとする課題」
解決しようとする問題点は、体力の衰えた老人や病人等が捻挫を防ごうと思っても適当なトレーニング器具がないために、足首の筋肉をほぐすことが出来ないことです。【０００５】［課題を解決するための手段］
本考案は、二枚のプレートの間にコイルスプリングを設置することにより、コイルスプリングの下面を固定して、上面に上下、前後、左右、回転運動等の力を加えると半球状の運動作用をする。
この半球状の運動をすることにより、足首の筋肉をほぐして、筋肉を柔らかくし、捻挫や肉離れを防止することになるのです。【０００６】［考案の効果］
本考案のコイルスプリング付き足首運動器具は、体力の衰えた老人や病人等が弱っている足首の筋肉をスムーズに、肉体的負担を感じることなく、ほぐす事が出来る。【０００７】［考案を実施するための最良の形態］
本考案のコイルスプリング付き足首運動器具は椅子に座って、両足を乗せて、足首を自分の好きな方向に動かせば、足首の筋肉を半球状の運動作用によりほぐす事が出来る。【０００８】［実施例］
本考案の実施例を図面に基ずいて説明する。
図１は本考案のコイルスプリング付き足首運動器具の構成図で上部プレート１、下部プレート２、コイルスプリング３、上部プレート固定部４、下部プレート固定部５とから構成されている。【０００９】ここで、図１について詳細に説明する。
図１はコイルスプリング付き足首運動器具の構成を示す図で、上部プレート１はプラスチック、木等で製作されていて、形状は丸形、楕円形、四角形等のプレート状になっている。下部プレート２はプラスチック、木等で製作されていて、形状は丸形、楕円形、四角形等のプレート状になっている。
コイルスプリング３は金属、プラスッチク、ゴム等で製作されていて、形状はスパイラルコイル状になっている。
上部プレート固定部４は上部プレート１の下面に設置されていて、コイルスプリング３と固定するためコイルスプリングのピッチと同じネジ状になっている。
下部プレート固定部５は下部プレート２の上面に設置されていて、コイルスプリング３と固定するためコイルスプリングのピッチと同じネジ状になっている。【００１０】図２は本考案のコイルスプリング付き足首運動器具の組み立て縦断面を示す図である。【００１１】［考案の効果］
以上のように構成された本考案のコイルスプリング付き足首運動器具は老人や病人等のように体力の弱った人が足首の捻挫や肉離れを防止するための運動をすることが出来る効果はすばらしいことである。
【図面の簡単な説明】
【００１２】  ［図１］
本実施例のコイルスプリング付き足首運動器具の構成を示す図である。
［図２］
本実施例のコイルスプリング付き足首運動器具の組み立て縦断面を示す図である。
【符号の説明】
【００１３】１．上部プレート
２．下部プレート
３．コイルスプリング
４．上部プレート固定部
５．下部プレート固定部
【図１】
0003111180.tif 000003
【図２】
0003111180.tif 000004
【手続補正書】
【提出日】平成17年3月28日(2005.3.28)
【手続補正１】
【補正対象書類名】実用新案登録請求の範囲
【補正対象項目名】全文
【補正方法】変更
【補正の内容】
【実用新案登録請求の範囲】
【請求項１】
二枚のプレートの間にコイルスプリングを設置した構造をしたもので、上部のプレートに足を乗せて、上下、前後、左右、回転運動等の運動をすることにより足首の筋肉をほぐすことの出来るトレーニング器具。
【請求項２】
請求項１の上部プレートに足の裏のつぼを押すピンを設置して、足の裏のつぼを押すことのできるトレーニング器具。
【手続補正２】
【補正対象書類名】明細書
【補正対象項目名】全文
【補正方法】変更
【補正の内容】
【考案の詳細な説明】
【技術分野】
【０００１】本考案は、二枚のプレートの間にコイルスプリングを設置したもので、足を乗せて上下、前後、左右、回転運動等の運動をすると半球状に足首を動かすことが出来、体力の衰えた老人でも楽に足首をほぐすトレーニングが出来るものである。
又、上部プレートの上面に足の裏のつぼを押すピンを設置して、足首の筋肉をほぐすと同時に、足の裏のつぼを押すことの出来るトレーニング器具である。
【背景技術】
【０００２】従来のトレーニング器具は健康状態が良く，力のある人がトレーニングするための運動器具が多く、体力の衰えた人のための運動器具が殆どない。【０００３】二枚のプレートの間にコイルスプリングを設置することにより、弱い力で、なめらかに、上下、前後、左右、回転運動等の運動をして、足首の筋肉をほぐして、足首の捻挫を防止出来る。
又、上部プレートの上面に足の裏のつぼを押すピンを設置して、足の裏のつぼを刺激してマッサージ効果を得ることができる。
【考案の開示】
【考案が解決しようとする課題】
【０００４】解決しようとする問題点は、体力の衰えた老人や病人等が捻挫を防ごうと思っても適当なトレーニング器具がないために、足首の筋肉をほぐすことが出来ないことです。
【課題を解決するための手段】
【０００５】本考案は、二枚のプレートの間にコイルスプリングを設置することにより、コイルスプリングの下面を固定して、上面に上下、前後、左右、回転運動等の力を加えると半球状の運動作用をする。
この半球状の運動をすることにより、足首の筋肉をほぐして、筋肉を柔らかくし、捻挫や肉離れを防止することになるのです。
【考案の効果】
【０００６】本考案のコイルスプリング付き足首運動器具は、体力の衰えた老人や病人等が弱っている足首の筋肉をスムーズに、肉体的負担を感じることなく、ほぐす事が出来る。
又、上部プレートの上面に設置されているつぼを押すピンで足の裏のつぼを刺激することによりマッサージ効果を得ることができる。
【考案を実施するための最良の形態】
【０００７】本考案のコイルスプリング付き足首運動器具は椅子に座って、両足を乗せて、足首を自分の好きな方向に動かせば、足首の筋肉を半球状の運動作用によりほぐす事が出来る。
又、上部プレートの上面に設置した、つぼを押すピンの上に、足の裏を乗せて足を動かせば、つぼ押しの刺激効果による、マッサージ効果が得られる。
【実施例】
【０００８】本考案の実施例を図面に基ずいて説明する。
図１は本考案のコイルスプリング付き足首運動器具の構成図で上部プレート１、下部プレート２、コイルスプリング３、上部プレート固定部４、下部プレート固定部５とから構成されている。【０００９】ここで、図１について詳細に説明する。
図１はコイルスプリング付き足首運動器具の構成を示す図で、上部プレート１はプラスチック、木等で製作されていて、形状は丸形、楕円形、四角形等のプレート状になっている。
下部プレート２はプラスチック、木等で製作されていて、形状は丸形、楕円形、四角形等のプレート状になっている。
コイルスプリング３は金属、プラスッチク、ゴム等で製作されていて、形状はスパイラルコイル状になっている。
上部プレート固定部４は上部プレート１の下面に設置されていて、コイルスプリング３と固定するためコイルスプリングのピッチと同じネジ状になっている。
下部プレート固定部５は下部プレート２の上面に設置されていて、コイルスプリング３と固定するためコイルスプリングのピッチと同じネジ状になっている。【００１０】図２は本考案のコイルスプリング付き足首運動器具の組み立て縦断面を示す図である。【００１１】図３は本考案のコイルスプリング付き足首運動器具の上部プレートの上面に足の裏のつぼを押すピンを設置した外観を示す図である。【００１２】ここで、図３について詳細に説明する。
図３はコイルスプリング付き足首運動器具の上部プレートの上面にピンを固定する穴７を設置し、この穴７に、つぼを押すピン６を固定した図である。
この、足の裏のつぼを押すピン６は一本〜五本〜多数の任意の本数に設定できる。
図４はコイルスプリング付き足首運動器具の上部プレートの上面の穴７に、つぼを押すピン６を固定した状態を示す縦断面図である。
【考案の効果】
【００１３】以上のように構成された本考案のコイルスプリング付き足首運動器具は老人や病人等のように体力の弱った人が足首の捻挫や肉離れを防止するための運動をすることが出来る効果はすばらしいことである。
【図面の簡単な説明】
【００１４】
【図１】本実施例のコイルスプリング付き足首運動器具の構成を示す図である。
【図２】本実施例のコイルスプリング付き足首運動器具の組み立て縦断面を示す図である。
【図３】本実施例のコイルスプリング付き足首運動器具に、足の裏のつぼを押すピンを設置した図である。
【図４】本実施例のコイルスプリング付き足首運動器具に、足の裏のつぼを押すピンを設置した縦断面を示す図である。
【符号の説明】
【００１５】１．上部プレート
２．下部プレート
３．コイルスプリング
４．上部プレート固定部
５．下部プレート固定部
６．ピン
７．穴
【手続補正３】
【補正対象書類名】図面
【補正対象項目名】全図
【補正方法】変更
【補正の内容】
【図１】
0003111180.tif 000005
【図２】
0003111180.tif 000006
【図３】
0003111180.tif 000007
【図４】
0003111180.tif 000008